(57)【要約】  【課題】  メディアに格納されている画像データを選択してプリントする際に、プリントに失敗した画像データ容易に判別することのできる画像形成装置の制御方法および画像形成制御装置を提供する。  【解決手段】  プリントに失敗した画像データのファイル名等を処理結果管理部１６で管理し、プリントサービスが終了した時点で、処理結果管理部１６で管理しているファイル名等に基づいて、プリントに失敗した画像データを特定する情報を、利用者に提示する。【選択図】        図２
2006068938.tif 000002
【特許請求の範囲】
【請求項１】
可搬形の記憶媒体から読み出した画像データのうち、指定された画像データに基づく画像の形成を、画像形成装置に指示する画像形成装置の制御方法であって、
可搬形の記憶媒体から画像データを読み出し、該読み出した画像データから画像形成の対象となる画像データを利用者に選択させ、該利用者が選択した画像データに基づく画像の形成を画像形成装置に指示し、該指示に失敗した画像データを前記利用者に提示することを特徴とする画像形成装置の制御方法。
【請求項２】
前記画像形成装置から画像形成処理の処理結果を取得し、該取得した処理結果に基づいて、前記画像形成装置で画像の形成に失敗した画像データをさらに前記利用者に提示することを特徴とする請求項１記載の画像形成装置の制御方法。
【請求項３】
前記画像データの提示は、該提示する画像データのリストを画面上に表示することで行うことを特徴とする請求項１または２に記載の画像形成装置の制御方法。
【請求項４】
前記リストは、画像データのファイル名で構成されることを特徴とする請求項３記載の画像形成装置の制御方法。
【請求項５】
前記リストは、画像データに基づく縮小画像で構成されることを特徴とする請求項３記載の画像形成装置の制御方法。
【請求項６】
前記画像データの提示は、該提示する画像データのリストを前記画像形成装置から出力させることで行うことを特徴とする請求項１または２に記載の画像形成装置の制御方法。
【請求項７】
前記リストは、画像データのファイル名で構成されることを特徴とする請求項６記載の画像形成装置の制御方法。
【請求項８】
前記リストは、画像データに基づく縮小画像で構成されることを特徴とする請求項６記載の画像形成装置の制御方法。
【請求項９】
可搬形の記憶媒体から読み出した画像データのうち、指定された画像データに基づく画像の形成を、画像形成装置に指示する画像形成制御装置において、
可搬形の記憶媒体から画像データを読み出す画像データ取得手段と、
前記画像データ取得手段が取得した画像データから画像形成の対象となる画像データを選択する画像データ選択手段と、
前記画像データ選択手段が選択した画像データに基づく画像の形成を画像形成装置に指示する画像形成指示手段と、
前記画像形成指示手段が画像形成の指示に失敗した画像データを管理する画像管理手段と、
前記画像管理手段が管理している画像データを提示する画像データ提示手段と
を具備することを特徴とする画像形成制御装置。
【請求項１０】
前記画像形成装置から画像形成処理の処理結果を取得する処理結果取得手段をさらに具備し、
前記画像管理手段は、前記処理結果取得手段が取得した処理結果に基づいて、前記画像形成装置で画像の形成に失敗した画像データをさらに管理する
ことを特徴とする請求項９記載の画像形成制御装置。
【請求項１１】
前記画像データ提示手段は、前記画像管理手段が管理している画像データのリストを画面上に表示することを特徴とする請求項９または１０に記載の画像形成制御装置。
【請求項１２】
前記リストは、画像データのファイル名で構成されることを特徴とする請求項１１記載の画像形成制御装置。
【請求項１３】
前記リストは、画像データに基づく縮小画像で構成されることを特徴とする請求項１１記載の画像形成制御装置。
【請求項１４】
前記画像データ提示手段は、前記画像管理手段が管理している画像データのリストを前記画像形成装置から出力させることを特徴とする請求項９または１０に記載の画像形成制御装置。
【請求項１５】
前記リストは、画像データのファイル名で構成されることを特徴とする請求項１４記載の画像形成制御装置。
【請求項１６】
前記リストは、画像データに基づく縮小画像で構成されることを特徴とする請求項１４記載の画像形成制御装置。
【発明の詳細な説明】
【技術分野】
【０００１】
本発明は、画像形成装置の制御方法および画像形成制御装置に関し、特に、可搬形の記憶媒体に記憶された画像データから選択された画像データに基づく画像を形成する画像形成装置の制御方法および画像形成制御装置に関する。
【背景技術】
【０００２】
近年、デジタルカメラが広く普及し、これに伴って、デジタルカメラで撮影した画像データをプリントするプリンタ等の画像形成装置が提供されるようになっている。
【０００３】
このような画像形成装置には、家庭での利用を目的としたものや、専門店に設置する商用利用を目的としたもの等、様々な種別のものが存在する。
【０００４】
また、最近では、商用利用を目的とした画像形成装置において、その画像形成装置が設置されている店舗の店員ではなく、利用者自身が画像形成装置を操作して画像データのプリントを行うセルフプリントサービスも多く利用されるようになっている。
【０００５】
このセルフプリントサービスを提供する画像形成装置またはその制御装置では、その多くが、メディアに記憶されている画像データを読み出してサムネイル画像を画面上に表示し、利用者にプリント対象となる画像データを選択させる仕様となっている。
【０００６】
ところで、デジタルカメラで撮影した画像データ等は、何らかの理由により破損することがある。この画像データの破損は、画面上への表示もプリントもできない状態や、プリントはできないが画面上への表示はできる状態、別途サムネイル用のデータを有し、このサムネイル用のデータのみが破損されていない状態等、様々な状態がある。したがって、利用者がプリント対象として表示されたサムネイルから画像データを選択することができるものの、その画像データではプリントを行うことができないといった場合が存在することとなる。
【０００７】
このため、従来の画像形成装置またはその制御装置では、選択された画像データのプリントに失敗した場合には、その枚数を画面上に表示するなどして、利用者に対して通知を行うようにしているものが多い。
【発明の開示】
【発明が解決しようとする課題】
【０００８】
ところで、最近では、デジタルカメラで撮影した画像データを記憶するメモリ等のメディアは、その容量が増大する傾向にあり、これに伴って、メディアに記憶することのできる画像データの数が増加する傾向にある。
【０００９】
このため、画像データをプリントする際にも、一度に多量の画像データをプリント対象とする機会も増加し、プリントに失敗した場合に、利用者は、どの画像データがプリントに失敗したのかを判断することが困難となる場合があった。
【００１０】
そこで、本発明は、メディアに格納されている画像データを選択してプリントする際に、プリントに失敗した画像データ容易に判別することのできる画像形成装置の制御方法および画像形成制御装置を提供することを目的とする。
【課題を解決するための手段】
【００１１】
上述した目的を達成するため、請求項１の発明は、可搬形の記憶媒体から読み出した画像データのうち、指定された画像データに基づく画像の形成を、画像形成装置に指示する画像形成装置の制御方法であって、可搬形の記憶媒体から画像データを読み出し、該読み出した画像データから画像形成の対象となる画像データを利用者に選択させ、該利用者が選択した画像データに基づく画像の形成を画像形成装置に指示し、該指示に失敗した画像データを前記利用者に提示することを特徴とする。
【００１２】
また、請求項２の発明は、請求項１の発明において、前記画像形成装置から画像形成処理の処理結果を取得し、該取得した処理結果に基づいて、前記画像形成装置で画像の形成に失敗した画像データをさらに前記利用者に提示することを特徴とする。
【００１３】
また、請求項３の発明は、請求項１または２の発明において、前記画像データの提示は、該提示する画像データのリストを画面上に表示することで行うことを特徴とする。
【００１４】
また、請求項４の発明は、請求項３の発明において、前記リストは、画像データのファイル名で構成されることを特徴とする。
【００１５】
また、請求項５の発明は、請求項３の発明において、前記リストは、画像データに基づく縮小画像で構成されることを特徴とする。
【００１６】
また、請求項６の発明は、請求項１または２の発明において、前記画像データの提示は、該提示する画像データのリストを前記画像形成装置から出力させることで行うことを特徴とする。
【００１７】
また、請求項７の発明は、請求項６の発明において、前記リストは、画像データのファイル名で構成されることを特徴とする。
【００１８】
また、請求項８の発明は、請求項６の発明において、前記リストは、画像データに基づく縮小画像で構成されることを特徴とする。
【００１９】
また、請求項９の発明は、可搬形の記憶媒体から読み出した画像データのうち、指定された画像データに基づく画像の形成を、画像形成装置に指示する画像形成制御装置において、可搬形の記憶媒体から画像データを読み出す画像データ取得手段と、前記画像データ取得手段が取得した画像データから画像形成の対象となる画像データを選択する画像データ選択手段と、前記画像データ選択手段が選択した画像データに基づく画像の形成を画像形成装置に指示する画像形成指示手段と、前記画像形成指示手段が画像形成の指示に失敗した画像データを管理する画像管理手段と、前記画像管理手段が管理している画像データを提示する画像データ提示手段とを具備することを特徴とする。
【００２０】
また、請求項１０の発明は、請求項９の発明において、前記画像形成装置から画像形成処理の処理結果を取得する処理結果取得手段をさらに具備し、前記画像管理手段は、前記処理結果取得手段が取得した処理結果に基づいて、前記画像形成装置で画像の形成に失敗した画像データをさらに管理することを特徴とする。
【００２１】
また、請求項１１の発明は、請求項９または１０の発明において、前記画像データ提示手段は、前記画像管理手段が管理している画像データのリストを画面上に表示することを特徴とする。
【００２２】
また、請求項１２の発明は、請求項１１の発明において、前記リストは、画像データのファイル名で構成されることを特徴とする。
【００２３】
また、請求項１３の発明は、請求項１１の発明において、前記リストは、画像データに基づく縮小画像で構成されることを特徴とする。
【００２４】
また、請求項１４の発明は、請求項９または１０の発明において、前記画像データ提示手段は、前記画像管理手段が管理している画像データのリストを前記画像形成装置から出力させることを特徴とする。
【００２５】
また、請求項１５の発明は、請求項１４の発明において、前記リストは、画像データのファイル名で構成されることを特徴とする。
【００２６】
また、請求項１６の発明は、請求項１４の発明において、前記リストは、画像データに基づく縮小画像で構成されることを特徴とする。
【発明の効果】
【００２７】
本発明によれば、利用者が選択した画像データに基づく画像の形成を画像形成装置に指示し、画像形成の処理後に、指示に失敗した画像データを利用者に提示するように構成したので、利用者は、画像の形成に失敗した画像データを容易に特定することが可能となる。
【発明を実施するための最良の形態】
【００２８】
以下、本発明に係る画像形成装置の制御方法および画像形成制御装置の一実施の形態について、添付図面を参照して詳細に説明する。
【実施例１】
【００２９】
まず、本発明を適用した制御装置を含む画像形成システムの構成について説明する。図１は、画像形成システムの構成を示すブロック図である。
【００３０】
同図に示すように、画像形成システムは、制御装置１と、表示・入力装置２、データ処理装置３、画像形成装置４、料金処理装置５を具備して構成される。なお、画像形成システムを構成する各装置は、一部若しくは全部を同一の筐体に納めて利用することが可能である。
【００３１】
制御装置１は、本発明を適用したもので、画像形成装置４の制御を行うものである。表示・入力装置２は、タッチパネル等で構成され、制御装置１が表示する画面の表示および制御装置１に対する指示入力の取得を行うものである。データ処理装置３は、各種のメモリや光ディスク等のメディアからデータ（ここでは画像データが中心）を読み出すものである。画像形成装置４は、制御装置１から送出されるジョブに基づいて用紙上に画像をプリントするものである。料金処理装置５は、画像形成装置４を利用して提供されるサービスの対価としての料金を徴収するものである。
【００３２】
次に、制御装置１の構成について説明する。図２は、制御装置１の機能的な構成を示すブロック図である。なお、制御装置１は、パーソナルコンピュータ等でソフトウェアを実行して構成されるものである。また、図２においては、本発明に関係する機能のみを示している。
【００３３】
同図に示すように、制御装置１は、主制御部１０と、表示制御部１１、入力受付部１２、パラメータ保持部１３、データ取得部１４、ジョブ実行制御部１５、処理結果管理部１６、料金処理部１７を具備して構成される。
【００３４】
主制御部１０は、他の各部の制御を行うとともに、他の各部間で授受されるデータ等の流れを制御する。表示制御部１１は、表示・入力装置２へ表示する画面等の生成する。入力受付部１２は、表示・入力装置２から入力された操作指示を受け付ける。パラメータ保持部１３は、画像形成装置４に実行させるジョブに設定する各種パラメータ等の値を保持する。データ取得部１４は、データ処理装置３を制御して、データ処理装置３が読み出したデータを取得する。ジョブ実行制御部１５は、プリント等のジョブを生成し、生成したジョブを画像形成装置４へ送出し、画像形成装置４にジョブを実行させる。処理結果管理部１６は、ジョブ実行制御部１５が実行するジョブの生成等の処理結果を管理する。料金処理部１７は、料金処理装置５を制御するとともに、料金処理装置５に投入された貨幣等の投入額を取得する。
【００３５】
続いて、制御装置１の動作について説明する。図３は、制御装置１の動作の流れを示すフローチャートである。
【００３６】
制御装置１は、利用者によりデータ処理装置３に画像データが記憶されたメディアが挿入されると（ステップ１０１でＹＥＳ）、データ取得部１４が当該メディアに記憶されている画像データを読み出し（ステップ１０２）、表示制御部１１が表示・入力装置２に画像選択画面を表示し、入力受付部１２が、利用者が表示・入力装置２に対して入力する画像選択や各種設定の指示を受け付ける（ステップ１０３）。なお、利用者によるメディアの挿入は、制御装置１を含む画像形成システムが写真プリントサービスのみを提供する場合には、初期画面として表示・入力装置２に表示されているメディアの挿入案内にしたがって行われ、制御装置１を含む画像形成システムが写真プリントサービス以外のサービスも提供する場合には、初期画面として表示・入力装置２に表示されているメニューから「写真プリント」を選択した後に表示されるメディアの挿入案内にしたがって行われる。
【００３７】
ステップ１０３で表示制御部１１が表示・入力装置２に表示する画像選択画面は、例えば、図４に示すような画像選択画面２００となる。画像選択画面２００は、利用者がプリントを希望する画像と、そのプリント枚数を指示するための画面であり、画像を選択するための画像選択欄２０１、選択した画像のプリント枚数を指定する枚数指定ボタン２０２が設けられている。この画面２００で、利用者が画像選択欄２０１から所望の画像を選択し、そのプリント枚数を指定すると、入力受付部１２は、その指定を受け付け、パラメータ保持部１３がその指定内容を記憶する。
【００３８】
利用者が画像の選択等を終え、決定ボタン２０３を押下すると（ステップ１０４でＹＥＳ）、入力受付部１２が当該操作を受け付け、表示制御部１１が、表示・入力装置２に確認画面を表示する（ステップ１０５）。
【００３９】
ステップ１０５で表示制御部１１が表示・入力装置２に表示する確認画面は、例えば、図５に示すような確認画面３００となる。確認画面３００には、利用者が選択した画像を表示する選択画像表示欄３０１と、利用者がプリントの開始を指示する開始指示ボタン３０２が設けられている。
【００４０】
利用者が選択した画像の確認を終え、開始指示ボタン３０２を押下すると（ステップ１０６でＹＥＳ）、これを入力受付部１２が受け付け、料金処理部１７が料金処理装置５から取得した投入額を確認し（ステップ１０７）、その投入額が、選択された画像のプリントに要する料金に充足していれば（ステップ１０８でＹＥＳ）、ジョブ実行制御部１５が、選択された画像の画像データに基づいて、画像形成装置４に画像をプリントさせるためのジョブを生成する（ステップ１０９）。
【００４１】
ジョブ実行制御部１５は、ジョブの生成に成功すると（ステップ１１０でＹＥＳ）、生成したジョブを画像形成装置４へ送出するが（ステップ１１１）、画像データが破損していること等が原因で、ジョブの生成に失敗した場合には（ステップ１１０でＮＯ）、対象となった画像データのファイル名等を、処理結果管理部１６へ記憶させる（ステップ１１２）。このジョブ実行制御部１５によるジョブの生成は、利用者が選択した画像の全てに対して繰り返し行われる（ステップ１１３でＮＯ）。
【００４２】
これらの処理が、利用者が選択した画像の全てに対して行われると（ステップ１１３でＹＥＳ）、処理結果管理部１６は、記憶しているジョブの生成結果に基づいて、プリント結果の集計を行う（ステップ１１４）。そして、表示制御部１１が、結果確認画面を表示・入力装置２に表示する（ステップ１１７、ここでは、ステップ１１５およびステップ１１７の処理は省略する）。
【００４３】
表示制御部１１が表示・入力装置２に表示する結果確認画面は、例えば、図６乃至８に示す結果確認画面４００−１、結果確認画面４００−２、結果確認画面４００−３のいずれかとなる。結果確認画面４００−１は、プリントが正常に終了した場合の結果確認画面であり、結果確認画面４００−２は、利用者が途中でプリントの中止を指示した場合の結果確認画面、結果確認画面４００−３は、画像形成装置４で障害が発生してプリントが中止された場合の結果確認画面である。これらいずれの結果確認画面も、画像データの破損等でジョブの生成に失敗した画像データのファイル名を、処理結果表示欄４０１に表示している。
【００４４】
これら結果確認画面のいずれかから、利用者が確認ボタン４０２を押下すると（ステップ１１８でＹＥＳ）、これを入力受付部１２が受け付け、表示制御部１１が図示しない終了画面を表示して（ステップ１１９）、処理を終了する。なお、終了画面では、メディアの取り出し等の案内が表示される。
【００４５】
また、処理結果管理部１６は、プリント結果を集計した際に（ステップ１１４）、その集計結果を表示するレポートを作成し（ステップ１１５）、作成したレポートを画像形成装置４から出力させるようにしてもよい（ステップ１１６）。この場合には、ステップ１１７で表示制御部１１が表示・入力装置２に表示する結果確認画面は、図９に示す結果確認画面４００−４のように、レポートの出力を通知するメッセージ４０３が表示される。また、ステップ１１６で出力されるレポートは、図１０に示すレポート４５０のように、処理結果４５１が表示される。
【実施例２】
【００４６】
実施例２では、実施例１で説明した結果確認画面４００−１、結果確認画面４００−２、結果確認画面４００−３の処理結果表示欄４０１や、レポート４５０の処理結果４５１に、ジョブの生成に失敗した画像データに加えて、ジョブに含まれるエラーや中止命令等により、画像形成装置４でプリントが行われなかった画像データも表示する場合を説明する。
【００４７】
実施例２においては、処理結果管理部１６（図２参照）は、画像形成装置４からジョブの処理結果を取得し、取得した処理結果をジョブ実行制御部１５でのジョブ生成結果と併せて管理する。
【００４８】
ここで、実施例２における制御装置１の動作を説明する。図１１は、実施例２における制御装置１の動作の流れを示すフローチャートである。なお、表示制御部１１が表示・入力装置２へ表示する画面は、画像形成装置４でプリントが行われなかった画像データを処理結果として表示する点が実施例１と異なるのみであるため、ここでは、表示画面の説明は省略する。
【００４９】
制御装置１は、利用者によりデータ処理装置３に画像データが記憶されたメディアが挿入されると（ステップ５０１でＹＥＳ）、データ取得部１４が当該メディアに記憶されている画像データを読み出し（ステップ５０２）、表示制御部１１が表示・入力装置２に画像選択画面を表示し、入力受付部１２が、利用者が表示・入力装置２に対して入力する画像選択や各種設定の指示を受け付ける（ステップ５０３）。
【００５０】
利用者が画像の選択等を終え、決定ボタン２０３を押下すると（ステップ５０４でＹＥＳ）、入力受付部１２が当該操作を受け付け、表示制御部１１が、表示・入力装置２に確認画面を表示する（ステップ５０５）。
【００５１】
利用者が選択した画像の確認を終え、開始指示ボタン３０２を押下すると（ステップ５０６でＹＥＳ）、これを入力受付部１２が受け付け、料金処理部１７が料金処理装置５から取得した投入額を確認し（ステップ５０７）、その投入額が、選択された画像のプリントに要する料金に充足していれば（ステップ５０８でＹＥＳ）、ジョブ実行制御部１５が、選択された画像の画像データに基づいて、画像形成装置４に画像をプリントさせるためのジョブを生成する（ステップ５０９）。
【００５２】
ジョブ実行制御部１５は、ジョブの生成に成功すると（ステップ５１０でＹＥＳ）、生成したジョブを画像形成装置４へ送出し（ステップ５１１）、そのジョブの処理結果を処理結果管理部１６が取得する（ステップ５１２）。そして、画像形成装置４がジョブの処理に失敗していた場合には（ステップ５１３でＮＯ）、対象となった画像データのファイル名等を記憶する（ステップ５１４）。
【００５３】
また、画像データが破損していること等が原因で、ジョブ実行制御部１５がジョブの生成に失敗した場合には（ステップ５１０でＮＯ）、処理結果管理部１６が、対象となった画像データのファイル名等を記憶する（ステップ５１４）。
【００５４】
このジョブ実行制御部１５等によるジョブの生成等の処理は、利用者が選択した画像の全てに対して繰り返し行われる（ステップ５１５でＮＯ）。なお、ここでは、説明の簡略化のために、ステップ５１２でジョブの処理結果を処理結果管理部１６が取得した後に、ジョブ実行制御部１５が、次の画像データに基づくジョブを生成するように説明しているが、実際には、ジョブの生成と、処理結果の取得は、並列処理により順次行われる。
【００５５】
これらの処理が、利用者が選択した画像の全てに対して行われると（ステップ５１５でＹＥＳ）、処理結果管理部１６は、記憶しているジョブの生成結果に基づいて、プリント結果の集計を行う（ステップ５１６）。そして、表示制御部１１が、結果確認画面を表示・入力装置２に表示する（ステップ５１７）。このとき、処理結果管理部１６は、集計結果を表示するレポートを作成し（ステップ５１８）、作成したレポートを画像形成装置４から出力させるようにしてもよい（ステップ５１９）。
【００５６】
そして、結果確認画面から、利用者が確認ボタン４０２を押下すると（ステップ５２０でＹＥＳ）、これを入力受付部１２が受け付け、表示制御部１１が図示しない終了画面を表示して（ステップ５２１）、処理を終了する。なお、終了画面では、メディアの取り出し等の案内が表示される。
【実施例３】
【００５７】
実施例３は、実施例１または実施例２で説明した画像選択画面２００での画像の選択を行う前に、利用者が、メディアに記憶されている画像データの一覧を縮小画像でプリントしたインデックスプリントの出力を指示していた場合の例である。
【００５８】
例えば、利用者が、図１２に示すようなインデックスプリント６００を出力していた場合、実施例３においては、処理結果管理部１６は、画像データのファイル名に代えて、インデックスプリントに印字したインデックスナンバー６０１を結果確認画面４００−１、結果確認画面４００−２、結果確認画面４００−３の処理結果表示欄４０１や、レポート４５０の処理結果４５１に表示する。
【実施例４】
【００５９】
実施例４は、実施例１または実施例２で説明した結果確認画面４００−１、結果確認画面４００−２、結果確認画面４００−３の処理結果表示欄４０１の表示形態を、画像選択画面２００の画像選択欄２０１と同様に、縮小画像を利用して画像データを表すものとした例である。
【００６０】
実施例４では、実施例１または実施例２で説明した結果確認画面４００−１、結果確認画面４００−２、結果確認画面４００−３に代えて、図１３に示すような結果確認画面７００を表示する。
【００６１】
結果確認画面７００には、処理結果表示欄４０１に対応するものとして、縮小画像で処理の成功と失敗を処理結果表示欄７０１が表示されている。また、処理結果表示欄７０１では、プリントに失敗した画像に対応する縮小画像に、失敗を表すシンボル７０２を重ねて表示している。
【００６２】
なお、画像データが破損していた場合には、処理結果表示欄７０１に縮小画像を表示できない場合も考えられるが、この場合には、画像選択画面２００の画像選択欄２０１にも縮小画像が表示されないため、利用者が当該画像をプリント対象として選択する可能性が低く、実用上、差し支えがない。仮に、利用者が縮小画像を確認することなく、選択を行っていた場合でも（全選択を行った場合等）、他の画像との並び順等から、プリントできなかった画像の特定は可能である。
【実施例５】
【００６３】
実施例５は、実施例１または実施例２で説明したレポートの形態を異なるものとした場合の例である。
【００６４】
実施例５においては、処理結果管理部１６が作成するレポートを、図１２に示したインデックスプリント６００と同様の形態で出力する。
【００６５】
実施例５におけるレポートは、図１４に示すレポート８００のように、原則としてインデックスプリント６００と同様のものとなるが、プリントに失敗した画像に対応する縮小画像に、失敗を表すシンボル８０１を重ねてプリントしている。
【００６６】
なお、画像データが破損していた場合には、画像選択画面２００の画像選択欄２０１に縮小画像を表示することができていたとしても、縮小画像のプリントができないことも考えられるが、その場合でも、他の画像との並び順等から、プリントできなかった画像の特定は可能である。
【図面の簡単な説明】
【００６７】
【図１】画像形成システムの構成を示すブロック図である。
【図２】制御装置１の機能的な構成を示すブロック図である。
【図３】制御装置１の動作の流れを示すフローチャートである。
【図４】画像選択画面の例を示した図である。
【図５】確認画面の例を示した図である。
【図６】結果確認画面の例を示した図である。
【図７】結果確認画面の例を示した図である。
【図８】結果確認画面の例を示した図である。
【図９】結果確認画面の例を示した図である。
【図１０】レポートの例を示した図である。
【図１１】実施例２における制御装置１の動作の流れを示すフローチャートである。
【図１２】インデックスプリントの出力例を示した図である。
【図１３】結果確認画面の例を示した図である。
【図１４】レポートの例を示した図である。
【符号の説明】
【００６８】
１    制御装置
２    表示・入力装置
３    データ処理装置
４    画像形成装置
５    料金処理装置
１０    主制御部
１１    表示制御部
１２    入力受付部
１３    パラメータ保持部
１４    データ取得部
１５    ジョブ実行制御部
１６    処理結果管理部
１７    料金処理部
２００    画像選択画面
２０１    画像選択欄
２０２    枚数指定ボタン
２０３    決定ボタン
３００    確認画面
３０１    選択画像表示欄
３０２    開始指示ボタン
４００−１、４００−２、４００−３、４００−４    結果確認画面
４０１    処理結果表示欄
４０２    確認ボタン
４０３    メッセージ
４５０    レポート
４５１    処理結果
６００    インデックスプリント
６０１    インデックスナンバー
７００    結果確認画面
７０１    処理結果表示欄
７０２    シンボル
８００    レポート
８０１    シンボル
【図１】
2006068938.tif 000003
【図２】
2006068938.tif 000004
【図３】
2006068938.tif 000005
【図４】
2006068938.tif 000006
【図５】
2006068938.tif 000007
【図６】
2006068938.tif 000008
【図７】
2006068938.tif 000009
【図８】
2006068938.tif 000010
【図９】
2006068938.tif 000011
【図１０】
2006068938.tif 000012
【図１１】
2006068938.tif 000013
【図１２】
2006068938.tif 000014
【図１３】
2006068938.tif 000015
【図１４】
2006068938.tif 000016